(57)【要約】【課題】プロトコル処理部でのスループットを向上させて、大容量の画像音声データを高速に転送することができるようにする。【解決手段】大容量の画像音声データを基地局装置１からモニタ装置２へ転送する場合に、基地局装置１では、画像音声データを並列にプロトコル変換処理をし、プロトコル変換された画像音声データを複数パス無線部１１４を利用してモニタ装置２へ転送し、モニタ装置２では、受信した画像音声データを並列にプロトコル変換処理する。この構成によって、複数パス通信プロトコル処理部１１３でのスループットを向上できるようにすると共に、画像音声データを高速転送処理することができる。【選択図】        図２
2007067738.tif 000002
【特許請求の範囲】
【請求項１】
大容量の画像及び／又は音声情報である画像音声データをデータ送信系とデータ受信系との間で多チャンネル通信系を利用して送受信するシステムであって、
前記画像音声データを並列にプロトコル変換処理をし、
プロトコル変換された前記画像音声データを前記多チャンネル通信系を利用して前記データ受信系へ転送する送信装置と、
前記画像音声データを前記多チャンネル通信系を利用して受信し、
前記送信装置から受信した前記画像音声データを並列にプロトコル変換処理をする受信装置とを備えることを特徴とするデータ送受信システム。
【請求項２】
前記送信装置において、
前記画像音声データを複数のパスを利用してプロトコル変換処理系に転送する場合であって、
前記パスの使用状況を監視し、当該パスの使用状況に応じて前記画像音声データの転送制御をすることを特徴とする請求項１に記載のデータ送受信システム。
【請求項３】
前記送信装置において、
前記画像音声データのパスの使用率と所定の判定基準値とを比較し、
前記画像音声データが第１判定基準値を超える場合は、既設及び新設のパスを選択し、
前記画像音声データが第２判定基準値未満である場合は、既設のパスを選択し、
前記画像音声データが第２判定基準値以上かつ第１判定基準値以下である場合は、新設のパスを選択することを特徴とする請求項１又は２に記載のいずれかのデータ送受信システム。
【請求項４】
大容量の画像及び／又は音声情報である画像音声データを多チャンネル通信系を介して送信する送信装置であって、
前記画像音声データを並列にプロトコル変換処理をするプロトコル変換手段と、
前記プロトコル変換手段により並列処理された前記画像音声データを前記多チャンネル通信系を利用してデータ受信系へ転送するデータ転送手段とを備えることを特徴とする送信装置。
【請求項５】
前記画像音声データを記憶する記憶手段と、
前記プロトコル変換手段と前記記憶手段との間に接続された複数のパスと、
前記パスの使用状況を監視し、当該パスの使用状況に応じて前記記憶手段から前記画像音声データを読み出す制御を実行する制御手段を備えることを特徴とする請求項４に記載の送信装置。
【請求項６】
前記制御手段は、
前記画像音声データのパスの使用率と所定の判定基準値とを比較し、
前記画像音声データが第１判定基準値を超える場合は、既設及び新設のパスを選択し、
前記画像音声データが第２判定基準値未満である場合は、既設のパスを選択し、
前記画像音声データが第２判定基準値以上かつ第１判定基準値以下である場合は、新設のパスを選択することを特徴とする請求項４又は５に記載のいずれかの送信装置。
【請求項７】
大容量の画像及び／又は音声情報である画像音声データを多チャンネル通信系を介して受信する受信装置であって、
前記画像音声データを多チャンネル通信系を利用してデータ送信系から受信するデータ受信手段と、
前記多チャンネル通信系を介して受信した前記画像音声データを並列にプロトコル変換処理するプロトコル変換手段とを備えることを特徴とする受信装置。
【請求項８】
前記画像音声データを記憶する記憶手段と、
前記プロトコル変換手段と前記記憶手段との間に接続された複数のパスと、
前記パスの使用状況を監視し、当該パスの使用状況に応じて前記画像音声データを前記記憶手段へ転送制御を実行する制御手段を備えることを特徴とする請求項７に記載の受信装置。
【請求項９】
前記制御手段は、
前記画像音声データのパスの使用率と所定の判定基準値とを比較し、
前記画像音声データが第１判定基準値を超える場合は、既設及び新設のパスを選択し、
前記画像音声データが第２判定基準値未満である場合は、既設のパスを選択し、
前記画像音声データが第２判定基準値以上かつ第１判定基準値以下である場合は、新設のパスを選択することを特徴とする請求項７又は８に記載のいずれかの受信装置。
【請求項１０】
大容量の画像及び／又は音声情報である画像音声データを送信系と受信系との間で多チャンネル通信系を利用して送受信する方法であって、
前記送信系では、
前記画像音声データを並列にプロトコル変換処理をし、
プロトコル変換された前記画像音声データを前記多チャンネル通信系を利用して受信系へ転送し、
前記受信系では、
前記送信系から転送された前記画像音声データを多チャンネル通信系を利用して受信し、
前記画像音声データを並列にプロトコル変換処理をすることを特徴とするデータ送受信方法。
【請求項１１】
前記画像音声データを複数のパスを利用してプロトコル変換処理系に転送する場合であって、
前記パスの使用状況を監視し、当該パスの使用状況に応じて前記画像音声データの転送制御をすることを特徴とする請求項１０に記載のデータ送受信方法。
【請求項１２】
前記画像音声データのパスの使用率と所定の判定基準値とを比較し、
前記画像音声データが第１判定基準値を超える場合は、既設及び新設のパスを選択し、
前記画像音声データが第２判定基準値未満である場合は、既設のパスを選択し、
前記画像音声データが第２判定基準値以上かつ第１判定基準値以下である場合は、新設のパスを選択することを特徴とする請求項１０又は１１に記載のいずれかのデータ送受信方法。
【発明の詳細な説明】
【技術分野】
【０００１】
この発明は、基地局装置が、モニタ装置へ大容量の画像及び／又は音声情報である画像音声データを送信し、モニタ装置が、受信した画像音声データを再生、表示する場合に適用して好適なデータ送受信システム、送信装置、受信装置及びデータ送受信方法に関するものである。
【０００２】
詳しくは、大容量の画像音声データを基地局装置とモニタ装置との間で多チャンネル通信系を利用して送受信する場合であって、基地局装置では、画像音声データを並列にプロトコル変換処理をし、プロトコル変換された画像音声データは、多チャンネル通信系を利用してモニタ装置へ転送される。モニタ装置では、多チャンネル通信系を介して画像音声データを受信し、受信した画像音声データに対して並列にプロトコル変換処理をする。この構成によって、プロトコル変換処理系でのスループットが向上し、画像音声データを高速受信処理することができる。
【背景技術】
【０００３】
近年、住宅内やオフィス内などの限られたエリア内で構築される無線ＬＡＮシステムの一種として、情報ソース又はアクセスポイントとして機能するベース装置とこのベース装置との間の無線通信によって、ベース装置の情報を取得して表示する表示端末とを組み合わせたデータ送受信システムが利用されている。例えば、ベース装置は、テレビ放送の受信用のチューナーが内蔵又は接続され、モデムを介して電話回線に接続されている。そして、これらのベース装置及び表示端末からなるシステムが考えられている。
【０００４】
表示端末は、例えばベース装置に対してテレビ映像取得要求を送信し、ベース装置からテレビ映像を受信したり、また、ベース装置を介して電子メールの送受信及びインターネット上の情報を受信したりする。そして、受信した映像及び情報をディスプレイ上に表示する。ベース装置は、表示端末からテレビ映像取得要求を受け、テレビ映像を記憶装置から読み出し、表示端末に送信する。また、表示端末から、例えば電子メールの受信要求を受けると、メールサーバから電子メールを取得し、表示端末へ転送する。
【０００５】
この種のデータ送受信システムによれば、表示端末が、無線通信によりベース装置の情報を取得したり、ベース装置を介してインターネットの情報にアクセスすることができる。これにより、複数の表示端末で１つのベース装置を共有することができ、情報の共有化やコストを抑えることができる。
【０００６】
図６は、従来のデータ送受信システムの制御系の構成例を示すブロック図である。
【０００７】
送信制御ユニット２０１において、例えば、テレビジョン信号等の画像音声信号が、テレビチューナー２６５を介して、デジタル信号化されたＡＶ(Audio and Visual)データとなりＡＶエンコーダ２０２に対して供給される。ＡＶエンコーダ２０２では、所定の画像音声圧縮方式によってＡＶデータに対して圧縮処理を実施する。ＡＶエンコーダ２０２から出力されたＡＶデータは、ＰＣＩバスライン２０３、ＨｏｓｔＰＣＩブリッジ２０４、Ｈｏｓｔバスライン２０５を介して、記憶装置２０６に蓄積される。このとき、ＤＭＡ２０７は、ＣＰＵ２０８の処理負荷を減らすためにバスラインを優先的に占有できるバスマスターの状態になるようにデータ転送の制御を行う。蓄積されたＡＶデータは、Ｈｏｓｔバスライン２０５、ＨｏｓｔＰＣＩブリッジ２０４、ＰＣＩバスライン２０３を介し、ＰＣＩコントローラ２０９へ出力され、更に、ＰＣＩ内部バス２１０を介して、プロトコル処理部２１１に出力され、所定の通信プロトコル変換に従った処理が行われる。
【０００８】
その後、プロトコル変換されたＡＶデータは送信データとなり、送受信部２１２、アンテナ２１３を介して、無線信号として受信制御ユニット２５１へ送信される。このとき、プロトコル処理部２１１での転送効率は、最大約３０Ｍｂｐｓ、送受信部２１２での伝送効率は最大約５４Ｍｂｐｓである。
【０００９】
受信制御ユニット２５１において、送信制御ユニット２０１により送信された無線信号は、受信制御ユニット２５１内のアンテナ２５２を介して送受信部２５３により受信データとして受信され、プロトコル処理部２５４に出力される。このとき、ＤＭＡ２５５は、ＣＰＵ２５９の処理負荷を減らすためにバスラインを優先的に占有できるバスマスターの状態になるようにデータ転送の制御を行う。プロトコル処理部２５４により受信データはＡＶデータとなり、ＰＣＩ内部バス２５６、ＰＣＩコントローラ２５７、ＰＣＩバスライン２６２、ＨｏｓｔＰＣＩブリッジ２６１、Ｈｏｓｔバスライン２６０を介して、記憶装置２５８に蓄積される。蓄積されたＡＶデータは、Ｈｏｓｔバスライン２６０、ＨｏｓｔＰＣＩブリッジ２６１、ＰＣＩバスライン２６２を介し、ＡＶデコーダ２６３に転送され、所定の画像音声伸長方式によって伸長処理が実施される。その結果、テレビジョン信号等の画像音声信号が再生される。
【００１０】
このようなデータ転送機能を備えたベース装置に関連して、特許文献１には、パケット転送装置が開示されている。このパケット転送装置によれば、Ｅｔｈｅｒｎｅｔ（登録商標）コントローラ、無線ＬＡＮコントローラ、ＣＰＵバス、データバス、バスブリッジ、ローカルメモリ、バッファメモリ及びＣＰＵを備え、Ｅｔｈｅｒｎｅｔ（登録商標）コントローラ及び無線ＬＡＮコントローラが、直接ＣＰＵバスに繋がり、ヘッダ部をＣＰＵ上のローカルメモリに保存し、データ部はデータバス上のバッファメモリに保存する。これにより、ＣＰＵ、Ｅｔｈｅｒｎｅｔ（登録商標）コントローラ及び無線ＬＡＮコントローラからバスブリッジ等を経由せずに直接アクセスできるようになり、更に、データバスが独立しているので、ＣＰＵバス上で行われるパケット転送処理がデータ部の転送によって妨げられることがなくなるので、パケット転送の処理時間が短くなるようにしたというものである。
【００１１】
【特許文献１】特開２００３−２８９３１５号公報（第２頁、第１図）
【発明の開示】
【発明が解決しようとする課題】
【００１２】
ところで、従来例に係る送信装置によれば、記憶装置２０６に蓄積された大容量の画像音声データを、送受信部２１２に設置されたアンテナ２１３から受信装置２５１に送信する場合に、Ｈｏｓｔバスライン２０５、ＨｏｓｔＰＣＩブリッジ２０４、ＰＣＩバスライン２０３、ＰＣＩコントローラ２０９、ＰＣＩ内部バス２１０を介してプロトコル処理部２１１へ転送される経路しか存在しないため、記憶装置２０６に蓄積された大容量の画像音声データを高速にプロトコル処理部２１１へ転送することができず、プロトコル処理部２１１でのスループットが最適ではなかった。
【００１３】
また、特許文献１に見られるように、ＣＰＵバス上に全てのデータのヘッダ部が転送されるため、ＣＰＵバス上のトラフィックが混雑し、プロトコル変換処理に時間がかかる場合がある。
【００１４】
そこで、本発明はこのような従来例に係る課題を解決したものであって、プロトコル変換処理系でのスループットを向上できるようにすると共に、大容量の画像音声データを高速に転送することができるようにしたデータ送受信システム、送信装置、受信装置及びデータ送受信方法を提供することを目的とする。
【課題を解決するための手段】
【００１５】
上述した課題を解決するために、データ送受信システムは、大容量の画像及び／又は音声情報である画像音声データをデータ送信系とデータ受信系との間で多チャンネル通信系を利用して送受信するシステムであって、前記画像音声データを並列にプロトコル変換処理をし、プロトコル変換された前記画像音声データを前記多チャンネル通信系を利用して前記データ受信系へ転送する送信装置と、前記画像音声データを前記多チャンネル通信系を利用して受信し、前記送信装置から受信した前記画像音声データを並列にプロトコル変換処理をする受信装置とを備えることを特徴とするものである。
【００１６】
本発明に係るデータ送信システムによれば、大容量の画像音声データを多チャンネル通信系を利用して送受信する場合に、送信装置は、画像音声データを並列にプロトコル変換処理をし、ここにプロトコル変換された画像音声データを多チャンネル通信系を利用してデータ受信系へ転送する。例えば、送信装置において、画像音声データを複数のパスを利用してプロトコル変換処理系に転送する場合であって、送信装置では、パスの使用状況を監視し、当該パスの使用状況に応じて画像音声データの転送制御をする。従って、空いたパスを利用して画像音声データをプロトコル変換処理系に転送でき、プロトコル変換処理後の画像音声データを多チャンネル通信系を利用してデータ受信系へ転送できるので、プロトコル変換処理系でのスループットが向上し、高速転送処理することができる。
【００１７】
本発明に係る送信装置は、大容量の画像及び／又は音声情報である画像音声データを多チャンネル通信系を介して送信する送信装置であって、前記画像音声データを並列にプロトコル変換処理をするプロトコル変換手段と、前記プロトコル変換手段により並列処理された前記画像音声データを前記多チャンネル通信系を利用してデータ受信系へ転送するデータ転送手段とを備えることを特徴とするものである。
【００１８】
本発明に係るデータ送信装置によれば、大容量の画像音声データを多チャンネル通信系を介して送信する場合に、送信装置は、画像音声データを並列にプロトコル変換処理をし、ここにプロトコル変換された画像音声データを多チャンネル通信系を利用してデータ受信系へ転送する。例えば、送信装置において、画像音声データを複数のパスを利用してプロトコル変換処理系に転送する場合であって、送信装置では、パスの使用状況を監視し、当該パスの使用状況に応じて画像音声データの転送制御をする。従って、空いたパスを利用して画像音声データをプロトコル変換処理系に転送でき、プロトコル変換処理後の画像音声データを多チャンネル通信系を利用してデータ受信系へ転送できるので、プロトコル変換処理系でのスループットが向上し、高速転送処理することができる。
【００１９】
本発明に係る受信装置は、大容量の画像及び／又は音声情報である画像音声データを多チャンネル通信系を介して受信する受信装置であって、前記画像音声データを多チャンネル通信系を利用してデータ送信系から受信するデータ受信手段と、前記多チャンネル通信系を介して受信した前記画像音声データを並列にプロトコル変換処理するプロトコル変換手段とを備えることを特徴とするものである。
【００２０】
本発明に係る受信装置によれば、大容量の画像音声データを多チャンネル通信系を介して受信する場合に、受信装置は、多チャンネル通信系を介して画像音声データを受信し、受信した画像音声データに対して並列にプロトコル変換処理をする。例えば、画像音声データを複数のパスを利用して記憶装置に転送する場合であって、受信装置では、パスの使用状況を監視し、当該パスの使用状況に応じて画像音声データの転送制御をする。従って、多チャンネル通信系を利用して画像音声データを受信でき、空いたパスを利用して画像音声データを記憶装置に転送できるので、プロトコル変換処理系でのスループットが向上し、プロトコル変換処理後の画像音声データを記憶装置へ高速転送処理することができる。
【００２１】
本発明に係るデータ送受信方法は、大容量の画像及び／又は音声情報である画像音声データを送信系と受信系との間で多チャンネル通信系を利用して送受信する方法であって、送信系では、画像音声データを並列にプロトコル変換処理をし、プロトコル変換された画像音声データを多チャンネル通信系を利用して受信系へ転送し、受信系では、多チャンネル通信系を介して画像音声データを受信し、受信した画像音声データに対して並列にプロトコル変換処理をすることを特徴とするものである。この構成によって、プロトコル変換処理系でのスループットが向上し、画像音声データを高速転送処理することができる。
【発明の効果】
【００２２】
本発明に係るデータ送受信システムによれば、大容量の画像音声データを多チャンネル通信系を利用して送受信する場合に、送信装置は、画像音声データを並列にプロトコル変換処理をし、プロトコル変換された画像音声データは、多チャンネル通信系を利用してデータ受信系へ転送される。この構成によって、プロトコル変換処理系でのスループットが向上し、画像音声データを高速転送処理することができる。
【００２３】
本発明に係る送信装置によれば、大容量の画像音声データを多チャンネル通信系を介して送信する場合に、送信装置は、画像音声データを並列にプロトコル変換処理をし、プロトコル変換された画像音声データは、多チャンネル通信系を利用してデータ受信系へ転送される。この構成によって、プロトコル変換処理系でのスループットが向上し、画像音声データを高速転送処理することができる。
【００２４】
本発明に係る受信装置によれば、大容量の画像音声データを多チャンネル通信系を介して受信する場合に、受信装置は、多チャンネル通信系を介して画像音声データを受信し、受信した画像音声データ並列にプロトコル変換処理をする。この構成によって、プロトコル変換処理系でのスループットが向上し、画像音声データを高速受信処理することができる。
【００２５】
本発明に係るデータ送受信方法によれば、大容量の画像音声データを送信系と受信系との間で多チャンネル通信系を利用して送受信する場合であって、送信系では、画像音声データを並列にプロトコル変換処理をし、プロトコル変換された画像音声データは、多チャンネル通信系を利用して受信系へ転送される。受信系では、多チャンネル通信系を介して画像音声データを受信し、受信した画像音声データに対して並列にプロトコル変換処理をする。この構成によって、プロトコル変換処理系でのスループットが向上し、画像音声データを高速受信処理することができる。
【発明を実施するための最良の形態】
【００２６】
続いて、本発明に係るデータ送受信システム、送信装置、受信装置及びデータ送受信方法の一実施例について、図面を参照しながら説明をする。
【００２７】
図１は、本発明に係る実施例としてのデータ送受信システム１００の構成例を示す概念図である。
【００２８】
この実施例では、大容量の画像及び／又は音声情報である画像音声データを基地局装置１とモニタ装置２との間で多チャンネル通信系を利用して送受信する場合に、基地局装置１では、画像音声データを並列にプロトコル変換処理を実施し、プロトコル変換された画像音声データを多チャンネル通信系を利用してモニタ装置２へ転送し、モニタ装置２では、多チャンネル通信系を介して画像音声データを受信し、受信した画像音声データを並列にプロトコル変換処理を実施することにより、プロトコル変換処理系でのスループットを向上させて、大容量の画像音声データを高速に転送することができるようにしたものである。
【００２９】
図１に示すデータ送受信システム１００は、大容量の画像及び／又は音声情報である画像音声データをデータ送信系とデータ受信系との間で多チャンネル通信系を利用して送受信するシステムであって、基地局装置１及びモニタ装置２から構成されている。
【００３０】
基地局装置１は、送信装置の一例であり、例えば、モデム１１、テレビチューナー１２及び基地局制御ユニット１０１が備えられている。
【００３１】
モデム１１は、電話回線１５に接続され、電話回線１５を通じて伝送される音声信号をデジタルデータに変換したり、基地局装置１からのデジタルデータを音声信号に変換して電話回線１５に送出したりする。例えば、インターネットから音楽ファイルをダウンロードする場合、音楽ファイルは、電話回線１５を通じて音声信号としてモデム１１に転送され、モデム１１によってデジタルデータに変換される。
【００３２】
テレビチューナー１２は、テレビアンテナ１４に接続され、テレビアンテナ１４が受信するテレビジョン信号を視聴可能なテレビ映像信号に変換し、その後、テレビ映像データに変換する。
【００３３】
基地局制御ユニット１０１は、モデム１１及びテレビチューナー１２に接続され、ＣＰＵブロック１９０及びＰＣＩブロック１９１を有している。ＣＰＵブロック１９０は、モデム１１及びテレビチューナー１２に接続され、例えば、ＣＰＵ１０９及び記憶装置１０８を有している。ＣＰＵブロック１９０では、ＣＰＵ１０９が、モデム１１から伝送される大容量の画像音声データを記憶装置１０８に保存するように制御し、保存された画像音声データをＰＣＩブロック１９１へ転送する。
【００３４】
ＰＣＩブロック１９１では、転送された画像音声データをアンテナから無線画像音声信号としてモニタ装置２へ送信する処理が実施される。画像音声データとは、テレビ映像情報、音楽情報及びホームページ情報などをいい、以後、ＡＶ（Audio and Visual）データという。
【００３５】
モニタ装置２は、受信装置の一例であり、例えば、モニタ制御ユニット１５１及び操作パネル１９４が備えられている。操作パネル１９４は、例えば、テレビ映像情報及びホームページ情報等を再生及び表示する要求を出す場合に使用される。モニタ制御ユニット１５１は、ＰＣＩブロック１９３及びＣＰＵブロック１９２を有している。ＰＣＩブロック１９３は、基地局装置１から送信された無線画像音声信号をアンテナから受信し、受信した無線画像音声信号を、ＡＶデータに変換し、ＣＰＵブロック１９２へ出力する。ＣＰＵブロック１９２は、ＰＣＩブロック１９３に接続され、例えば、ＣＰＵ１６２及び記憶装置１５９を有している。ＣＰＵブロック１９２では、ＰＣＩブロック１９３から出力されたＡＶデータを、記憶装置１５９に保存し、保存されたＡＶデータは、ＣＰＵ１６２によって後段の映像処理へ転送される。
【００３６】
図２は、データ送受信システム１００における基地局装置１の制御系の構成例を示すブロック図である。図２に示すデータ送受信システム１００において、基地局制御ユニット１０１は、モデム１１及びテレビチューナー１２に接続され、ＣＰＵブロック１９０及びＰＣＩブロック１９１を有している。
【００３７】
ＣＰＵブロック１９０は、モデム１１及びテレビチューナー１２に接続され、ＡＶエンコーダ１０２、ＰＣＩバスライン１０３、ＨｏｓｔＰＣＩブリッジ１０４、Ｈｏｓｔバスライン１０５、Ｆｕｌｌ  Ｄｕｐｌｅｘｅｒ１０７、記憶装置１０８、ＣＰＵ１０９、第１のパス１１０及び第２のパス１１８を有している。
【００３８】
ＡＶエンコーダ１０２は、テレビチューナー１２に接続され、ＡＶデータＤ１に対して、例えばデータ圧縮処理を実施し、圧縮されたＡＶデータＤ２は、ＰＣＩバスライン１０３を介してＨｏｓｔＰＣＩブリッジ１０４に出力される。
【００３９】
ＨｏｓｔＰＣＩブリッジ１０４は、ＰＣＩバスライン１０３を介してＡＶエンコーダ１０２に接続され、ＡＶデータＤ２をＨｏｓｔバスライン１０５、Ｆｕｌｌ  Ｄｕｐｌｅｘｅｒ１０７を介して、記憶装置１０８に転送する。
【００４０】
記憶装置１０８は、Ｆｕｌｌ  Ｄｕｐｌｅｘｅｒ１０７、Ｈｏｓｔバスライン１０５を介してＨｏｓｔＰＣＩブリッジ１０４に接続され、ＨｏｓｔＰＣＩブリッジ１０４によって転送されたＡＶデータＤ２を保存する。Ｆｕｌｌ  Ｄｕｐｌｅｘｅｒ１０７は、ＣＰＵ１０９に接続され、ＣＰＵ１０９によってスイッチが制御される。
【００４１】
ＣＰＵ１０９は、Ｈｏｓｔバスライン１０５に接続され、Ｆｕｌｌ  Ｄｕｐｌｅｘｅｒ１０７に保持された図示しないカウンタから、Ｈｏｓｔバスライン１０５のトラフィック情報を取得し、トラフィックの状況によりＦｕｌｌ  Ｄｕｐｌｅｘｅｒ１０７を制御する。ここに第１のパス（以下既存パスという）１１０とは、記憶装置１０８に蓄積されたＡＶデータＤ２が、Ｆｕｌｌ  Ｄｕｐｌｅｘｅｒ１０７、Ｈｏｓｔバスライン１０５、ＨｏｓｔＰＣＩブリッジ１０４及びＰＣＩバスライン１０３を介してＰＣＩブロック１９１に転送される伝送路をいう。第２のパス（以下新設パスという）１１８とは、これらのＨｏｓｔバスライン１０５、ＨｏｓｔＰＣＩブリッジ１０４及びＰＣＩバスライン１０３を経由せずに記憶装置１０８とＰＣＩブロック１９１とを直接結ぶ伝送路をいう。新設パス１１８は１本に限られることはなく、２本以上設けてもよい。
【００４２】
例えば、ＨｏｓｔＰＣＩブリッジ１０４からＨｏｓｔバスライン１０５を介して記憶装置１０８へＡＶデータＤ２が転送されており、Ｈｏｓｔバスライン１０５の使用率が上限値を超えている場合は、既存パス１１０が混雑していると判断し、新設パス１１８を使用して記憶装置１０８に蓄積されたＡＶデータＤ２をＰＣＩブロック１９１へ転送するように制御する。これにより、空いたパスを利用してＡＶデータＤ２をＰＣＩブロック１９１に転送できるようになる。
【００４３】
ＰＣＩブロック１９１は、ＣＰＵブロック１９０に接続され、ＰＣＩコントローラ１１１、ＰＣＩ内部バス１１２、複数パス通信プロトコル処理部１１３、複数パス無線部１１４、複数パスアンテナ群１１６及びＤＭＡ１１９を有している。
【００４４】
多チャンネル通信系とは、例えば、基地局装置１において、複数パス無線部１１４を使用してデータの送受信が実施されるものをいう。
【００４５】
ＤＭＡ１１９は、ＰＣＩ内部バス１１２に接続され、ＣＰＵ１０９の処理負荷を減らすために、ＣＰＵ１０９が、Ｈｏｓｔバスライン１０５を優先的に占有できるバスマスターの状態になるようにデータ転送の制御を行う。
【００４６】
ＰＣＩコントローラ１１１は、新設パス１１８、Ｆｕｌｌ  Ｄｕｐｌｅｘｅｒ１０７を介して記憶装置１０８に接続され、更に、既存パス１１０を介して記憶装置１０８に接続される。既存パス１１０及び／又は新設パス１１８を使用して転送されるＡＶデータＤ２をＰＣＩ内部バス１１２を介して複数パス通信プロトコル処理部１１３に転送する。
【００４７】
複数パス通信プロトコル処理部１１３は、ＰＣＩ内部バス１１２を介してＰＣＩコントローラ１１１に接続され、ＰＣＩコントローラ１１１から転送されたＡＶデータＤ２に対し、並列して、例えば、ＩＰパケット化、多チャンネル化などのプロトコル変換処理を実施し、プロトコル変換された送信データＤ３を複数パス無線部１１４へ出力する。これにより、プロトコル変換処理後の送信データＤ３を複数パス無線部１１４を利用してモニタ装置２へ転送できるようになる。従って、ＣＰＵブロック１９０においては、空いたパスを利用して記憶装置１０８に蓄積されたＡＶデータＤ２をＰＣＩコントローラ１１１に転送し、かつ、ＰＣＩブロック１９１においては、並列にプロトコル変換処理を実施し、プロトコル変換された送信データＤ３を、複数パス無線部１１４へ出力するので、複数パス通信プロトコル処理部１１３でのスループットが向上し、高速に転送して処理することができるようになる。
【００４８】
複数パス無線部１１４は、複数パス通信プロトコル処理部１１３に接続され、複数パス通信プロトコル処理部１１３から出力された送信データＤ３を、送信無線信号Ｓ１に変換する。その後、複数パス無線部１１４に設置された複数パスアンテナ群１１６を使用して、送信無線信号Ｓ１をモニタ装置２へ送信する。
【００４９】
続いて、データ送受信システム１００におけるモニタ装置２について説明する。図３は、データ送受信システム１００におけるモニタ装置２の制御系の構成例を示すブロック図である。図３に示すデータ送受信システム１００において、モニタ制御ユニット１５１は、ＣＰＵブロック１９２及びＰＣＩブロック１９３を有している。
【００５０】
ＰＣＩブロック１９３は、複数パスアンテナ群１５２、複数パス無線部１５４、複数パス通信プロトコル処理部１５６、ＰＣＩ内部バス１５７、ＰＣＩコントローラ１５８及びＤＭＡ１７０を有している。
【００５１】
ＤＭＡ１７０は、ＰＣＩ内部バス１５７に接続され、ＣＰＵ１６２の処理負荷を減らすために、ＣＰＵ１６２が、Ｈｏｓｔバスライン１６４を優先的に占有できるバスマスターの状態になるようにデータ転送の制御を行う。
【００５２】
複数パス無線部１５４は、複数パスアンテナ群１５２が設置され、基地局装置１から送信された受信無線信号Ｓ１１を複数パスアンテナ群１５２を利用して受信し、受信した受信無線信号Ｓ１１を、受信データＤ１１に変換し、複数パス通信プロトコル処理部１５６に出力する。
【００５３】
複数パス通信プロトコル処理部１５６は、複数パス無線部１５４に接続され、複数パス無線部１５４から出力された受信データＤ１１に対し、並列して、例えば、ＩＰパケット化、多チャンネル化などの基地局装置１でプロトコル変換されたデータを、元のデータの状態に戻すようにプロトコル変換処理を実施し、ＡＶデータＤ１２をＰＣＩコントローラ１５８へ出力する。
【００５４】
ＰＣＩコントローラ１５８は、ＰＣＩ内部バス１５７を介して複数パス通信プロトコル処理部１５６に接続され、複数パス通信プロトコル処理部１５６から出力されたＡＶデータＤ１２をＣＰＵブロック１９２に転送する。
【００５５】
ＣＰＵブロック１９２は、ＰＣＩブロック１９３に接続され、記憶装置１５９、第１のパス１６０、切替スイッチ１６１、ＣＰＵ１６２、Ｈｏｓｔバスライン１６４、ＨｏｓｔＰＣＩブリッジ１６５、ＰＣＩバスライン１６６、ＡＶデコーダ１６７及び第２のパス１６８を有している。
【００５６】
ＨｏｓｔＰＣＩブリッジ１６５は、ＰＣＩバスライン１６６を介してＰＣＩコントローラ１５８に接続され、ＰＣＩコントローラ１５８から転送されたＡＶデータＤ１２をＨｏｓｔバスライン１６４、切替スイッチ１６１を介して記憶装置１５９に転送する。
【００５７】
ここに第１のパス（以下既存パスという）１６０とは、ＰＣＩコントローラ１５８からＰＣＩバスライン１６６、ＨｏｓｔＰＣＩブリッジ１６５、Ｈｏｓｔバスライン１６４、切替スイッチ１６１を介して記憶装置１５９に至る伝送路をいう。第２のパス（新設パスという）１６８とは、これらのＨｏｓｔバスライン１６４、ＨｏｓｔＰＣＩブリッジ１６５及びＰＣＩバスライン１６６を経由せずに、記憶装置１５９とＰＣＩブロック１９３とを直接結ぶ伝送路をいう。新設パス１６８は１本に限られることはなく、２本以上設けてもよい。
【００５８】
また、記憶装置１５９は、切替スイッチ１６１、新設パス１６８を介してＰＣＩコントローラ１５８に接続され、更に、既存パス１６０を介してＰＣＩコントローラ１５８に接続される。そして、ＰＣＩコントローラ１５８により転送されたＡＶデータＤ１２を保存する。切替スイッチ１６１は、ＣＰＵ１６２に接続され、ＣＰＵ１６２によってスイッチが制御される。
【００５９】
ＣＰＵ１６２は、Ｈｏｓｔバスライン１６４に接続され、切替スイッチ１６１に保持された図示しないカウンタからＨｏｓｔバスライン１６４のトラフィックの情報を取得し、トラフィックの状況により切替スイッチ１６１を制御する。例えば、記憶装置１５９に蓄積されたＡＶデータＤ１２が、Ｈｏｓｔバスライン１６４を介してＡＶデコーダ１６７に転送されており、その結果、Ｈｏｓｔバスライン１６４の使用率が上限値を超えている場合は、既存パス１６０が混雑していると判断し、新設パス１６８を使用してＰＣＩコントローラ１５８から記憶装置１５９へＡＶデータＤ１２を転送するように制御する。これにより、空いたパスを利用してＡＶデータＤ１２を記憶装置１５９転送できるようになる。従って、ＰＣＩブロック１９３においては、複数パス無線部１５４を利用し、基地局装置１から転送された受信無線信号Ｓ１１を受信して、並列にプロトコル変換処理を実施し、かつ、ＣＰＵブロック１９２においては、空いたパスを利用してＡＶデータＤ１２を記憶装置１５９へ転送するので、複数パス通信プロトコル処理部１５６でのスループットが向上し、高速に転送して処理することができる。
【００６０】
ＡＶデコーダ１６７は、ＰＣＩバスライン１６６、ＨｏｓｔＰＣＩブリッジ１６５、Ｈｏｓｔバスライン１６４及び切替スイッチ１６１を介して記憶装置１５９に接続され、記憶装置１５９から転送されたＡＶデータＤ１２に対し、例えば、データ伸長処理を実施し、ＡＶデータＤ１３とし、後段の映像再生処理等へ出力する。
【００６１】
続いて、図２に示したブロック図の基地局制御ユニット１０１において、データ送受信システム１００におけるデータ送信例について説明する。
【実施例１】
【００６２】
図４は、データ送受信システム１００におけるデータ送信例を示すフローチャートである。この実施例では、ＣＰＵ１０９は、Ｈｏｓｔバスライン１０５のトラフィックを監視していることを前提とする。例えば、Ｆｕｌｌ  Ｄｕｐｌｅｘｅｒ１０７は、Ｈｏｓｔバスライン１０５とのインタフェースに図示しないデータ入力用カウンタ及び出力用カウンタを保持しており、ＡＶデータＤ２が入出力する度に、そのサイズを各カウンタに加算する。データ入力用カウンタとは、記憶装置１０８へ転送されるデータをカウントし、データ出力用カウンタとは、記憶装置１０８から転送されるデータをカウントするものをいう。ＣＰＵ１０９が、これらのカウンタを一定時間毎に読みとることで、入出力データの各トラフィック量が算出される。これらの各トラフィック量をＨｏｓｔバスライン１０５の最大伝送量で割り、Ｈｏｓｔバスライン１０５に対して入力データ及び出力データの各使用率を算出する。
【００６３】
仮に、各使用率において、５０％以上の場合を、トラフィックが多いとし、５０％未満の場合を少ないとする。出力データ使用率が５０％以上である場合（第１判定基準値）は、既存パス１１０及び新設パス１１８を使用する。また、出力データ使用率が５０％未満かつ入力データ使用率が５０％未満である場合（第２判定基準値）は、既存パス１１０を使用する。それ以外の場合、つまり、出力データ使用率が５０％未満かつ入力データ使用率が５０％以上である場合は、新設パス１１８を使用する。ＣＰＵ１０９は、算出されたＨｏｓｔバスライン１０５の各使用率とこれらの基準値を比較して、Ｆｕｌｌ  Ｄｕｐｌｅｘｅｒ１０７をリアルタイムに設定する。
【００６４】
また、記憶装置１０８に、ＡＶデータＤ２が保存されているものとする。例えば、テレビジョン信号が、テレビチューナー１２を介してＡＶエンコーダ１０２にＡＶデータＤ１として出力され、ＡＶエンコーダ１０２により、例えば、データ圧縮処理が実施されＡＶデータＤ２となる。そして、ＡＶデータＤ２は、ＰＣＩバスライン１０３を介してＨｏｓｔＰＣＩブリッジ１０４へ出力され、ＨｏｓｔＰＣＩブリッジ１０４は、Ｈｏｓｔバスライン１０５、Ｆｕｌｌ  Ｄｕｐｌｅｘｅｒ１０７を介して、記憶装置１０８に転送する。
【００６５】
これらをデータ送信の条件にして、図４に示すフローチャートのステップＳ１で、ＣＰＵ１０９は、第１判定基準値と計算した出力データ使用率を比較する。
【００６６】
ＣＰＵ１０９は、第１判定基準値と計算した出力データ使用率を比較した結果、出力データ使用率が５０％以上であると判断した場合、ステップＳ２に移行し、パス設定に関して既存パス１１０及び新設パス１１８を使用するようにＦｕｌｌ  Ｄｕｐｌｅｘｅｒ１０７を制御する。この制御によって、Ｆｕｌｌ  Ｄｕｐｌｅｘｅｒ１０７は既存パス１１０及び新設パス１１８を選択する。この選択によって、ＣＰＵ１０９は、記憶装置１０８に蓄積されたＡＶデータＤ２を、既存パス１１０及び新設パス１１８を使用してＰＣＩコントローラ１１１へ転送する。
【００６７】
また、ＣＰＵ１０９は、第１判定基準値と計算した出力データ使用率を比較した結果、出力データ使用率が５０％未満であると判断した場合、ステップＳ３に移行し、第２判定基準値と計算した入力データ使用率とを比較する。
【００６８】
ＣＰＵ１０９は、第２判定基準値と計算した入力データ使用率とを比較した結果、入力データ使用率が５０％未満であると判断した場合、ステップＳ４に移行し、パス設定に関して既存パス１１０を使用するようにＦｕｌｌ  Ｄｕｐｌｅｘｅｒ１０７を制御する。この制御によって、Ｆｕｌｌ  Ｄｕｐｌｅｘｅｒ１０７は既存パス１１０を選択する。この選択によって、ＣＰＵ１０９は、記憶装置１０８に蓄積されたＡＶデータＤ２を、既存パス１１０を使用してＰＣＩコントローラ１１１へ転送する。
【００６９】
また、ＣＰＵ１０９は、第２判定基準値と計算した入力データ使用率を比較した結果、入力データ使用率が５０％以上であると判断した場合、ステップＳ５に移行し、パス設定に関して新設パス１１８を使用するようにＦｕｌｌ  Ｄｕｐｌｅｘｅｒ１０７を制御する。この制御によって、Ｆｕｌｌ  Ｄｕｐｌｅｘｅｒ１０７は新設パス１１８を選択する。この選択によって、ＣＰＵ１０９は、記憶装置１０８に蓄積されたＡＶデータＤ２を、新設パス１１８を使用してＰＣＩコントローラ１１１へ転送する。
【００７０】
ステップＳ６へ移行し、複数パス通信プロトコル処理部１１３に転送されたＡＶデータＤ２は、複数パス通信プロトコル処理部１１３で並列して、例えば、ＩＰパケット化、多チャンネル化などのプロトコル変換処理が実施される。これにより、プロトコル変換処理後のＡＶデータＤ２を複数パス無線部１１４を利用してモニタ装置２へ転送できるようになる。その後、ステップＳ７へ移行し、プロトコル変換されたＡＶデータＤ２は、複数パス通信プロトコル処理部１１３から複数パス無線部１１４へ出力され、複数パス無線部１１４に設置された複数パスアンテナ群１１６から送信無線信号Ｓ１としてモニタ装置２へ送信される。
【００７１】
このように、本発明に係る実施例としてデータ送受信システム１００におけるデータ送信によれば、大容量のＡＶデータを基地局装置１とモニタ装置２との間で複数パス無線部１１４を利用して送信する場合に、基地局装置１では、空いたパスを利用して記憶装置１０８に蓄積されたＡＶデータＤ２を複数パス通信プロトコル処理部１１３に転送し、複数パス通信プロトコル処理部１１３では、並列にプロトコル変換処理を実施し、プロトコル変換された送信データＤ３を複数パス無線部１１４を利用してモニタ装置２へ送信する。従って、複数パス通信プロトコル処理部１１３でのスループットが向上し、ＡＶデータＤ２を高速に転送して処理することができる。
【００７２】
続いて、図３に示したブロック図において、データ送受信システム１００におけるデータ受信例について説明する。
【実施例２】
【００７３】
図５は、データ送受信システム１００におけるデータ受信例を示すフローチャートである。この実施例では、ＣＰＵ１６２は、Ｈｏｓｔバスライン１６４のトラフィックを監視していることを前提とする。例えば、切替スイッチ１６１は、Ｈｏｓｔバスライン１６４とのインタフェースに図示しないデータ入力用カウンタ及び出力用カウンタを保持しており、ＡＶデータＤ１２が入出力する度にそのサイズを各カウンタに加算する。データ入力用カウンタとは、記憶装置１５９へ転送されるデータをカウントし、データ出力用カウンタとは、記憶装置１５９から転送されるデータをカウントするものをいう。ＣＰＵ１６２がこの各カウンタを一定時間毎に読みとることで、入出力データの各トラフィック量が算出される。これらの各トラフィック量をＨｏｓｔバスライン１６４の最大伝送量で割り、Ｈｏｓｔバスライン１６４に対して入力データ及び出力データの各使用率を算出する。
【００７４】
仮に、各使用率において、５０％以上の場合を、トラフィックが多いとし、５０％未満の場合を少ないとする。入力データ使用率が５０％以上である場合（第１判定基準値）は、既存パス１６０及び新設パス１６８を使用する。入力データ使用率が５０％未満かつ出力データ使用率が５０％未満である場合（第２判定基準値）は、既存パス１６０を使用する。それ以外の場合、つまり、入力データ使用率が５０％未満かつ出力データ使用率が５０％以上である場合は、新設パス１６８を使用する。ＣＰＵ１６２は、算出されたＨｏｓｔバスライン１６４の各使用率とこれらの基準値を比較して、切替スイッチ１６１をリアルタイムに設定する。
【００７５】
これらをデータ受信の条件にして、図５に示すフローチャートのステップＴ１で、モニタ装置２は、基地局装置１から送信されてきた受信無線信号Ｓ１１を、複数パス無線部１５４に設置された複数パスアンテナ群１５２を使用して受信する。その後、複数パス無線部１５４は、受信無線信号Ｓ１１を受信データＤ１１へ変換し、複数パス通信プロトコル処理部１５６へ出力する。ステップＴ２へ移行し、複数パス通信プロトコル処理部１５６に出力された受信データＤ１１は、複数パス通信プロトコル処理部１５６で並列して、例えば、基地局装置１でＩＰパケット化、多チャンネル化などプロトコル変換された受信データＤ１１を元のＡＶデータＤ１２に戻すためのプロトコル変換処理が実施され、ＰＣＩ内部パス１５７を介して、ＰＣＩコントローラ１５８に出力される。
【００７６】
その後、ステップＴ３へ移行し、ＰＣＩコントローラ１５８は、ＣＰＵ１６２が第１判定基準値と計算した入力データ使用率を比較した結果を取得する。
【００７７】
ＰＣＩコントローラ１５８は、ＣＰＵ１６２が、第１判定基準値と計算した入力データ使用率を比較した結果、入力データ使用率が５０％以上であると判断した結果を取得した場合、ステップＴ４に移行する。ＣＰＵ１６２は、パス設定に関して既存パス１６０及び新設パス１６８を使用するように切替スイッチ１６１を制御する。この制御によって、切替スイッチ１６１は既存パス１６０及び新設パス１６８を選択する。ＰＣＩコントローラ１５８は、複数パス通信プロトコル処理部１５６から出力されたＡＶデータＤ１２を、既存パス１６０及び新設パス１６８を使用して記憶装置１５９へ転送する。
【００７８】
また、ＰＣＩコントローラ１５８は、ＣＰＵ１６２が、第１判定基準値と計算した入力データ使用率を比較した結果、入力データ使用率が５０％未満であると判断した結果を取得した場合、ステップＴ５に移行する。ＣＰＵ１６２は、第２判定基準値と計算した出力データ使用率とを比較する。
【００７９】
ＰＣＩコントローラ１５８は、ＣＰＵ１６２が、第２判定基準値と計算した出力データ使用率とを比較した結果、出力データ使用率が５０％未満であると判断した結果を取得した場合、ステップＴ６に移行する。ＣＰＵ１６２は、パス設定に関して既存パス１６０を使用するように切替スイッチ１６１を制御する。この制御によって、切替スイッチ１６１は既存パス１６０を選択する。この選択によって、ＰＣＩコントローラ１５８は、複数パス通信プロトコル処理部１５６から出力されたＡＶデータＤ１２を、既存パス１６０を使用して記憶装置１５９へ転送する。
【００８０】
また、ＰＣＩコントローラ１５８は、ＣＰＵ１６２が、第２判定基準値と計算した出力データ使用率を比較した結果、出力データ使用率が５０％以上であると判断した結果を取得した場合、ステップＴ７に移行する。ＣＰＵ１６２は、パス設定に関して新設パス１６８を使用するように切替スイッチ１６１を制御する。この制御によって、切替スイッチ１６１は新設パス１６８を選択する。この選択によって、ＰＣＩコントローラ１５８は、複数パス通信プロトコル処理部１５６から出力されたＡＶデータＤ１２を、新設パス１６８を使用して記憶装置１５９へ転送する。
【００８１】
ステップＴ８へ移行し、記憶装置１５９に蓄積されたＡＶデータＤ１２は、切替スイッチ１６１、Ｈｏｓｔバス１６４、ＨｏｓｔＰＣＩブリッジ１６５、ＰＣＩバスライン１６６を介して、ＡＶデコーダ１６７へ転送される。ＡＶデコーダ１６７は、転送されたＡＶデータＤ１２に対し例えば、データ伸長処理を実施してＡＶデータＤ１３とし、後段の映像再生処理等へ出力する。
【００８２】
このように、本発明に係る実施例としてデータ送受信システム１００におけるデータ受信によれば、大容量のＡＶデータを複数パス無線部１５４を利用して受信する場合に、モニタ装置２では、基地局装置１から受信した受信データＤ１１に対して、並列にプロトコル変換処理を実施してＡＶデータＤ１２とし、空いたパスを利用して記憶装置１５９へ転送する。従って、複数パス通信プロトコル処理部１５６でのスループットが向上し、データを高速に転送して処理することができる。
【図面の簡単な説明】
【００８３】
【図１】本発明に係る実施例としてのデータ送受信システム１００の構成例を示す概念図である。
【図２】データ送受信システム１００における基地局装置１の制御系の構成例を示すブロック図である。
【図３】データ送受信システム１００におけるモニタ装置２の制御系の構成例を示すブロック図である。
【図４】データ送受信システム１００におけるデータ送信例を示すフローチャートである。
【図５】データ送受信システム１００におけるデータ受信例を示すフローチャートである。
【図６】従来のデータ送受信システムの制御系の構成例を示すブロック図である。
【符号の説明】
【００８４】
１・・・基地局装置、２・・・モニタ装置、１１・・・モデム、１２・・・テレビチューナー、１４・・・テレビアンテナ、１５・・・電話回線、１０１・・・基地局制御ユニット、１０２・・・ＡＶエンコーダ、１０３・・・ＰＣＩバスライン、１０４・・・ＨｏｓｔＰＣＩブリッジ、１０５・・・Ｈｏｓｔバスライン、１０７・・・切替スイッチ、１０８・・・記憶装置、１０９・・・ＣＰＵ、１１０・・・第１のパス、１１８・・・第２のパス、１１１・・・ＰＣＩコントローラ、１１２・・・ＰＣＩ内部バス、１１３・・・複数パス通信プロトコル処理部、１１４・・・複数パス無線部、１１６・・・複数パスアンテナ群、１１９・・・ＤＭＡ、１５１・・・モニタ制御ユニット、１９０・・・ＣＰＵブロック、１９１・・・ＰＣＩブロック、１５２・・・複数パスアンテナ群、１５４・・・複数パス無線部、１５６・・・複数パス通信プロトコル処理部、１５７・・・ＰＣＩ内部バスライン、１５８・・・ＰＣＩコントローラ、１５９・・・記憶装置、１６０・・・第１のパス、１６８・・・第２のパス、１６１・・・切替スイッチ、１６２・・・ＣＰＵ、１６４・・・Ｈｏｓｔバスライン、１６５・・・ＨｏｓｔＰＣＩブリッジ、１６６・・・ＰＣＩバスライン、１６７・・・ＡＶデコーダ、１７０・・・ＤＭＡ、１９２・・・ＣＰＵブロック、１９３・・・ＰＣＩブロック、１９４・・・操作パネル
【図１】
2007067738.tif 000003
【図２】
2007067738.tif 000004
【図３】
2007067738.tif 000005
【図４】
2007067738.tif 000006
【図５】
2007067738.tif 000007
【図６】
2007067738.tif 000008
【手続補正書】
【提出日】平成18年9月13日(2006.9.13)
【手続補正２】
【補正対象書類名】明細書
【補正対象項目名】０００９
【補正方法】変更
【補正の内容】
【０００９】
受信制御ユニット２５１において、送信制御ユニット２０１により送信された無線信号は、受信制御ユニット２５１のアンテナ２５２を介して送受信部２５３により受信データとして受信され、プロトコル処理部２５４に出力される。このとき、ＤＭＡ２５５は、ＣＰＵ２５９の処理負荷を減らすためにバスラインを優先的に占有できるバスマスターの状態になるようにデータ転送の制御を行う。プロトコル処理部２５４により受信データはＡＶデータとなり、ＰＣＩ内部バス２５６、ＰＣＩコントローラ２５７、ＰＣＩバスライン２６２、ＨｏｓｔＰＣＩブリッジ２６１、Ｈｏｓｔバスライン２６０を介して、記憶装置２５８に蓄積される。蓄積されたＡＶデータは、Ｈｏｓｔバスライン２６０、ＨｏｓｔＰＣＩブリッジ２６１、ＰＣＩバスライン２６２を介し、ＡＶデコーダ２６３に転送され、所定の画像音声伸長方式によって伸長処理が実施される。その結果、テレビジョン信号等の画像音声信号が再生される。
【手続補正３】
【補正対象書類名】明細書
【補正対象項目名】００１０
【補正方法】変更
【補正の内容】
【００１０】
このようなデータ転送機能を備えたベース装置に関連して、特許文献１には、パケット転送装置が開示されている。このパケット転送装置によれば、Ｅｔｈｅｒｎｅｔ（登録商標）コントローラ、無線ＬＡＮコントローラ、ＣＰＵバス、データバス、バスブリッジ、ローカルメモリ、バッファメモリ及びＣＰＵを備え、Ｅｔｈｅｒｎｅｔ（登録商標）コントローラ及び無線ＬＡＮコントローラが、直接ＣＰＵバスに繋がり、ヘッダ部をＣＰＵバス上のローカルメモリに保存し、データ部はデータバス上のバッファメモリに保存する。これにより、ＣＰＵ、Ｅｔｈｅｒｎｅｔ（登録商標）コントローラ及び無線ＬＡＮコントローラからバスブリッジ等を経由せずに直接アクセスできるようになり、更に、データバスがＣＰＵバスから独立しているので、ＣＰＵバス上で行われるパケット転送処理がデータ部の転送によって妨げられることがなくなるので、パケット転送の処理時間が短くなるようにしたというものである。
【手続補正４】
【補正対象書類名】明細書
【補正対象項目名】００１２
【補正方法】変更
【補正の内容】
【００１２】
ところで、従来例に係る送信装置によれば、記憶装置２０６に蓄積された大容量の画像音声データを、送受信部２１２に設置されたアンテナ２１３から受信制御ユニット２５１に送信する場合に、Ｈｏｓｔバスライン２０５、ＨｏｓｔＰＣＩブリッジ２０４、ＰＣＩバスライン２０３、ＰＣＩコントローラ２０９、ＰＣＩ内部バス２１０を介してプロトコル処理部２１１へ転送される経路しか存在しないため、記憶装置２０６に蓄積された大容量の画像音声データを高速にプロトコル処理部２１１へ転送することができず、プロトコル処理部２１１でのスループットが最適ではなかった。
【手続補正５】
【補正対象書類名】明細書
【補正対象項目名】００５５
【補正方法】変更
【補正の内容】
【００５５】
ＣＰＵブロック１９２は、ＰＣＩブロック１９３に接続され、記憶装置１５９、第１のパス１６０、Ｆｕｌｌ  Ｄｕｐｌｅｘｅｒ１６１、ＣＰＵ１６２、Ｈｏｓｔバスライン１６４、ＨｏｓｔＰＣＩブリッジ１６５、ＰＣＩバスライン１６６、ＡＶデコーダ１６７及び第２のパス１６８を有している。
【手続補正６】
【補正対象書類名】明細書
【補正対象項目名】００５６
【補正方法】変更
【補正の内容】
【００５６】
ＨｏｓｔＰＣＩブリッジ１６５は、ＰＣＩバスライン１６６を介してＰＣＩコントローラ１５８に接続され、ＰＣＩコントローラ１５８から転送されたＡＶデータＤ１２をＨｏｓｔバスライン１６４、Ｆｕｌｌ  Ｄｕｐｌｅｘｅｒ１６１を介して記憶装置１５９に転送する。
【手続補正７】
【補正対象書類名】明細書
【補正対象項目名】００５７
【補正方法】変更
【補正の内容】
【００５７】
ここに第１のパス（以下既存パスという）１６０とは、ＰＣＩコントローラ１５８からＰＣＩバスライン１６６、ＨｏｓｔＰＣＩブリッジ１６５、Ｈｏｓｔバスライン１６４、Ｆｕｌｌ  Ｄｕｐｌｅｘｅｒ１６１を介して記憶装置１５９に至る伝送路をいう。第２のパス（新設パスという）１６８とは、これらのＨｏｓｔバスライン１６４、ＨｏｓｔＰＣＩブリッジ１６５及びＰＣＩバスライン１６６を経由せずに、記憶装置１５９とＰＣＩブロック１９３とを直接結ぶ伝送路をいう。新設パス１６８は１本に限られることはなく、２本以上設けてもよい。
【手続補正８】
【補正対象書類名】明細書
【補正対象項目名】００５８
【補正方法】変更
【補正の内容】
【００５８】
また、記憶装置１５９は、Ｆｕｌｌ  Ｄｕｐｌｅｘｅｒ１６１、新設パス１６８を介してＰＣＩコントローラ１５８に接続され、更に、既存パス１６０を介してＰＣＩコントローラ１５８に接続される。そして、ＰＣＩコントローラ１５８により転送されたＡＶデータＤ１２を保存する。Ｆｕｌｌ  Ｄｕｐｌｅｘｅｒ１６１は、ＣＰＵ１６２に接続され、ＣＰＵ１６２によってスイッチが制御される。
【手続補正９】
【補正対象書類名】明細書
【補正対象項目名】００５９
【補正方法】変更
【補正の内容】
【００５９】
ＣＰＵ１６２は、Ｈｏｓｔバスライン１６４に接続され、Ｆｕｌｌ  Ｄｕｐｌｅｘｅｒ１６１に保持された図示しないカウンタからＨｏｓｔバスライン１６４のトラフィックの情報を取得し、トラフィックの状況によりＦｕｌｌ  Ｄｕｐｌｅｘｅｒ１６１を制御する。例えば、記憶装置１５９に蓄積されたＡＶデータＤ１２が、Ｈｏｓｔバスライン１６４を介してＡＶデコーダ１６７に転送されており、その結果、Ｈｏｓｔバスライン１６４の使用率が上限値を超えている場合は、既存パス１６０が混雑していると判断し、新設パス１６８を使用してＰＣＩコントローラ１５８から記憶装置１５９へＡＶデータＤ１２を転送するように制御する。これにより、空いたパスを利用してＡＶデータＤ１２を記憶装置１５９転送できるようになる。従って、ＰＣＩブロック１９３においては、複数パス無線部１５４を利用し、基地局装置１から転送された受信無線信号Ｓ１１を受信して、並列にプロトコル変換処理を実施し、かつ、ＣＰＵブロック１９２においては、空いたパスを利用してＡＶデータＤ１２を記憶装置１５９へ転送するので、複数パス通信プロトコル処理部１５６でのスループットが向上し、高速に転送して処理することができる。
【手続補正１０】
【補正対象書類名】明細書
【補正対象項目名】００６０
【補正方法】変更
【補正の内容】
【００６０】
ＡＶデコーダ１６７は、ＰＣＩバスライン１６６、ＨｏｓｔＰＣＩブリッジ１６５、Ｈｏｓｔバスライン１６４及びＦｕｌｌ  Ｄｕｐｌｅｘｅｒ１６１を介して記憶装置１５９に接続され、記憶装置１５９から転送されたＡＶデータＤ１２に対し、例えば、データ伸長処理を実施し、ＡＶデータＤ１３とし、後段の映像再生処理等へ出力する。
【手続補正１１】
【補正対象書類名】明細書
【補正対象項目名】００７３
【補正方法】変更
【補正の内容】
【００７３】
図５は、データ送受信システム１００におけるデータ受信例を示すフローチャートである。この実施例では、ＣＰＵ１６２は、Ｈｏｓｔバスライン１６４のトラフィックを監視していることを前提とする。例えば、Ｆｕｌｌ  Ｄｕｐｌｅｘｅｒ１６１は、Ｈｏｓｔバスライン１６４とのインタフェースに図示しないデータ入力用カウンタ及び出力用カウンタを保持しており、ＡＶデータＤ１２が入出力する度にそのサイズを各カウンタに加算する。データ入力用カウンタとは、記憶装置１５９へ転送されるデータをカウントし、データ出力用カウンタとは、記憶装置１５９から転送されるデータをカウントするものをいう。ＣＰＵ１６２がこの各カウンタを一定時間毎に読みとることで、入出力データの各トラフィック量が算出される。これらの各トラフィック量をＨｏｓｔバスライン１６４の最大伝送量で割り、Ｈｏｓｔバスライン１６４に対して入力データ及び出力データの各使用率を算出する。
【手続補正１２】
【補正対象書類名】明細書
【補正対象項目名】００７４
【補正方法】変更
【補正の内容】
【００７４】
仮に、各使用率において、５０％以上の場合を、トラフィックが多いとし、５０％未満の場合を少ないとする。入力データ使用率が５０％以上である場合（第１判定基準値）は、既存パス１６０及び新設パス１６８を使用する。入力データ使用率が５０％未満かつ出力データ使用率が５０％未満である場合（第２判定基準値）は、既存パス１６０を使用する。それ以外の場合、つまり、入力データ使用率が５０％未満かつ出力データ使用率が５０％以上である場合は、新設パス１６８を使用する。ＣＰＵ１６２は、算出されたＨｏｓｔバスライン１６４の各使用率とこれらの基準値を比較して、Ｆｕｌｌ  Ｄｕｐｌｅｘｅｒ１６１をリアルタイムに設定する。
【手続補正１３】
【補正対象書類名】明細書
【補正対象項目名】００７５
【補正方法】変更
【補正の内容】
【００７５】
これらをデータ受信の条件にして、図５に示すフローチャートのステップＴ１で、モニタ装置２は、基地局装置１から送信されてきた受信無線信号Ｓ１１を、複数パス無線部１５４に設置された複数パスアンテナ群１５２を使用して受信する。その後、複数パス無線部１５４は、受信無線信号Ｓ１１を受信データＤ１１へ変換し、複数パス通信プロトコル処理部１５６へ出力する。ステップＴ２へ移行し、複数パス通信プロトコル処理部１５６に出力された受信データＤ１１、例えば、基地局装置１でＩＰパケット化、多チャンネル化などプロトコル変換された並列受信データＤ１１を元のＡＶデータＤ１２に戻すためのプロトコル変換処理が複数パス通信プロトコル処理部１５６で実施され、ＰＣＩ内部パス１５７を介して、ＰＣＩコントローラ１５８に出力される。
【手続補正１４】
【補正対象書類名】明細書
【補正対象項目名】００７７
【補正方法】変更
【補正の内容】
【００７７】
ＰＣＩコントローラ１５８は、ＣＰＵ１６２が、第１判定基準値と計算した入力データ使用率を比較した結果、入力データ使用率が５０％以上であると判断した結果を取得した場合、ステップＴ４に移行する。ＣＰＵ１６２は、パス設定に関して既存パス１６０及び新設パス１６８を使用するようにＦｕｌｌ  Ｄｕｐｌｅｘｅｒ１６１を制御する。この制御によって、Ｆｕｌｌ  Ｄｕｐｌｅｘｅｒ１６１は既存パス１６０及び新設パス１６８を選択する。ＰＣＩコントローラ１５８は、複数パス通信プロトコル処理部１５６から出力されたＡＶデータＤ１２を、既存パス１６０及び新設パス１６８を使用して記憶装置１５９へ転送する。
【手続補正１５】
【補正対象書類名】明細書
【補正対象項目名】００７９
【補正方法】変更
【補正の内容】
【００７９】
ＰＣＩコントローラ１５８は、ＣＰＵ１６２が、第２判定基準値と計算した出力データ使用率とを比較した結果、出力データ使用率が５０％未満であると判断した結果を取得した場合、ステップＴ６に移行する。ＣＰＵ１６２は、パス設定に関して既存パス１６０を使用するようにＦｕｌｌ  Ｄｕｐｌｅｘｅｒ１６１を制御する。この制御によって、Ｆｕｌｌ  Ｄｕｐｌｅｘｅｒ１６１は既存パス１６０を選択する。この選択によって、ＰＣＩコントローラ１５８は、複数パス通信プロトコル処理部１５６から出力されたＡＶデータＤ１２を、既存パス１６０を使用して記憶装置１５９へ転送する。
【手続補正１６】
【補正対象書類名】明細書
【補正対象項目名】００８０
【補正方法】変更
【補正の内容】
【００８０】
また、ＰＣＩコントローラ１５８は、ＣＰＵ１６２が、第２判定基準値と計算した出力データ使用率を比較した結果、出力データ使用率が５０％以上であると判断した結果を取得した場合、ステップＴ７に移行する。ＣＰＵ１６２は、パス設定に関して新設パス１６８を使用するようにＦｕｌｌ  Ｄｕｐｌｅｘｅｒ１６１を制御する。この制御によって、Ｆｕｌｌ  Ｄｕｐｌｅｘｅｒ１６１は新設パス１６８を選択する。この選択によって、ＰＣＩコントローラ１５８は、複数パス通信プロトコル処理部１５６から出力されたＡＶデータＤ１２を、新設パス１６８を使用して記憶装置１５９へ転送する。
【手続補正１７】
【補正対象書類名】明細書
【補正対象項目名】００８１
【補正方法】変更
【補正の内容】
【００８１】
ステップＴ８へ移行し、記憶装置１５９に蓄積されたＡＶデータＤ１２は、Ｆｕｌｌ  Ｄｕｐｌｅｘｅｒ１６１、Ｈｏｓｔバス１６４、ＨｏｓｔＰＣＩブリッジ１６５、ＰＣＩバスライン１６６を介して、ＡＶデコーダ１６７へ転送される。ＡＶデコーダ１６７は、転送されたＡＶデータＤ１２に対し例えば、データ伸長処理を実施してＡＶデータＤ１３とし、後段の映像再生処理等へ出力する。
【手続補正１８】
【補正対象書類名】明細書
【補正対象項目名】００８４
【補正方法】変更
【補正の内容】
【００８４】
１・・・基地局装置、２・・・モニタ装置、１１・・・モデム、１２・・・テレビチューナー、１４・・・テレビアンテナ、１５・・・電話回線、１０１・・・基地局制御ユニット、１０２・・・ＡＶエンコーダ、１０３・・・ＰＣＩバスライン、１０４・・・ＨｏｓｔＰＣＩブリッジ、１０５・・・Ｈｏｓｔバスライン、１０７・・・Ｆｕｌｌ  Ｄｕｐｌｅｘｅｒ、１０８・・・記憶装置、１０９・・・ＣＰＵ、１１０・・・第１のパス、１１８・・・第２のパス、１１１・・・ＰＣＩコントローラ、１１２・・・ＰＣＩ内部バス、１１３・・・複数パス通信プロトコル処理部、１１４・・・複数パス無線部、１１６・・・複数パスアンテナ群、１１９・・・ＤＭＡ、１５１・・・モニタ制御ユニット、１９０・・・ＣＰＵブロック、１９１・・・ＰＣＩブロック、１５２・・・複数パスアンテナ群、１５４・・・複数パス無線部、１５６・・・複数パス通信プロトコル処理部、１５７・・・ＰＣＩ内部バスライン、１５８・・・ＰＣＩコントローラ、１５９・・・記憶装置、１６０・・・第１のパス、１６８・・・第２のパス、１６１・・・Ｆｕｌｌ  Ｄｕｐｌｅｘｅｒ、１６２・・・ＣＰＵ、１６４・・・Ｈｏｓｔバスライン、１６５・・・ＨｏｓｔＰＣＩブリッジ、１６６・・・ＰＣＩバスライン、１６７・・・ＡＶデコーダ、１７０・・・ＤＭＡ、１９２・・・ＣＰＵブロック、１９３・・・ＰＣＩブロック、１９４・・・操作パネル
【手続補正１９】
【補正対象書類名】図面
【補正対象項目名】図２
【補正方法】変更
【補正の内容】
【図２】
2007067738.tif 000009
【手続補正２０】
【補正対象書類名】図面
【補正対象項目名】図３
【補正方法】変更
【補正の内容】
【図３】
2007067738.tif 000010
【手続補正２１】
【補正対象書類名】図面
【補正対象項目名】図４
【補正方法】変更
【補正の内容】
【図４】
2007067738.tif 000011
【手続補正２２】
【補正対象書類名】図面
【補正対象項目名】図５
【補正方法】変更
【補正の内容】
【図５】
2007067738.tif 000012
【手続補正２３】
【補正対象書類名】図面
【補正対象項目名】図６
【補正方法】変更
【補正の内容】
【図６】
2007067738.tif 000013